(57)【要約】【課題】この発明は、常時録画中でかつタイムシフト再生中に入力信号を切り替えるための操作が行われた場合に、入力信号切替処理後の入力信号を直ちにオンエアモードで出力できるようになる記録再生装置を提供することを目的とする。【解決手段】常時録画中でかつタイムシフト再生中に、入力信号を切り替えるための操作が行われたときに、その操作に応じた入力信号の切り替え処理を行うとともに、再生モードをタイムシフト再生モードからオンエアモードに切り替える手段を備えている。【選択図】  図１
2005033290.tif 000002
【特許請求の範囲】
【請求項１】
常時録画中でかつタイムシフト再生中に、入力信号を切り替えるための操作が行われたときに、その操作に応じた入力信号の切り替え処理を行うとともに、再生モードをタイムシフト再生モードからオンエアモードに切り替える手段を備えている記録再生装置。
【発明の詳細な説明】
【０００１】
【発明の属する技術分野】
この発明は、ＨＤＤレコーダ、ＤＶＤレコーダ等の記録再生装置に関する。
【０００２】
【従来の技術】
ＨＤＤレコーダとして、リングバッファを用いて常時録画を行う機能および常時録画によって録画されているデータを記録アドレスと同じまたは異なるアドレスから再生させるタイムシフト再生機能を備えたものがある。
【０００３】
この種のＨＤＤレコーダでは、通常録画中において、入力信号を切り替えるための操作（つまり、入力切り替え操作またはチューナからの入力信号が選択されている場合の当該チューナに対するチャンネル切替操作）が行われても、入力信号を切り替えるための処理は実行されない。一方、常時録画中において、入力信号を切り替えるための操作が行われた場合には、入力信号を切り替えるための処理が実行される。
【０００４】
ところで、常時録画中でかつタイムシフト再生中に入力信号を切り替えるための処理を実行した場合には、切り替え処理後の入力信号がタイムシフト再生されるまでには時間がかかるという問題がある。このような問題は、タイムシフト再生ポイントが常時録画の記録ポイントより時間的に遅れた位置にある場合は当然に発生するが、たとえ、タイムシフト再生ポイントが常時録画の記録ポイントと同じ位置にある場合でも、タイムシフト再生による再生信号はエンコーダおよびデコーダによる処理を行った後の信号であるため発生する。
【０００５】
このような問題が発生しないようにするためには、再生停止ボタンを押して常時記録動作およびタイムシフト再生動作を停止させて、再生モードをオンエアモードにしてから、入力信号を切り替えるための操作を行う必要があるが、そのような操作は面倒である。
【０００６】
【発明が解決しようとする課題】
この発明は、常時録画中でかつタイムシフト再生中に入力信号を切り替えるための操作が行われた場合に、入力信号切替処理後の入力信号を直ちにオンエアモードで出力できるようになる記録再生装置を提供することを目的とする。
【０００７】
【課題を解決するための手段】
この発明は、常時録画中でかつタイムシフト再生中に、入力信号を切り替えるための操作が行われたときに、その操作に応じた入力信号の切り替え処理を行うとともに、再生モードをタイムシフト再生モードからオンエアモードに切り替える手段を備えていることを特徴とする。
【０００８】
【発明の実施の形態】
以下、図面を参照して、この発明の実施の形態について説明する。
【０００９】
図１は、記録再生装置の概略的な構成を示している。
【００１０】
記録再生装置は、アンテナ１、チューナ２、外部入力端子３、スイッチ４、スイッチ５、ＭＰＥＧエンコーダ６、ＨＤＤ７、ＭＰＥＧデコーダ８、スイッチ９、ＣＰＵ１０、操作パネル１１を備えている。
【００１１】
スイッチ４は、チューナ２からの入力信号と外部入力端子３からの入力信号とを切り替えるものである。
【００１２】
スイッチ５の切り替えモードには、入力信号をＨＤＤ７に記録するためにＭＰＥＧデコーダ８のみに送る第１切り替えモード、入力信号を録画することなしに、テレビモニタ１２にそのまま（オンエアで）出力するためにスイッチ９のみに送る第２切り替えモード、入力信号をスイッチ９およびＭＰＥＧデコーダ８の両方に送る第３切り替えモードがある。
【００１３】
スイッチ９は、スイッチ５を介して送られてきた信号またはＭＰＥＧデコーダ８から送られてきた信号のいずれかを選択してテレビモニタ１２に出力するものである。
【００１４】
ＭＰＥＧエンコーダ６は、スイッチ４、５を介して入力された入力信号をエンコードするものであり、ＭＰＥＧエンコーダ６によってエンコードされたデータはＨＤＤ７に記録される。
【００１５】
ＭＰＥＧデコーダ８は、ＨＤＤ７から読み出されたデータをデコードするものであり、ＭＰＥＧデコーダ８によってデコードされた信号は、スイッチ９を介してテレビモニタ１２に出力される。
【００１６】
ＨＤＤ７内には、常時録画時にデータが記録される常時録画エリアと、通常録画時にデータが記録される通常録画エリアとがある。常時録画エリアは、リングバッファを構成しており、常時録画データが満杯になると、古いデータが新しいデータによって順次上書きされることにより消去されていく。
【００１７】
なお、録画モードには、録画を行わない非録画モード、常時録画エリアにデータを記録していく常時録画モードと、通常録画エリアにデータを記録していく通常録画モードとがある。
【００１８】
再生モードには、スイッチ４を介して入力された入力信号を、スイッチ５からスイッチ９を経由してテレビモニタ１２に出力するオンエアモード、常時録画が行われている場合に当該常時録画によって常時録画エリアに記録された記録データを再生してテレビモニタ１２に出力する常時録画のタイムシフト再生モード、通常録画エリアのデータを再生してテレビモニタ１２に出力する通常再生モードがある。なお、通常再生モードの中には、通常録画が行われているときに、当該通常録画によって通常録画エリアに記録された記録データを再生してテレビモニタ１２に出力する通常録画のタイムシフト再生モードが含まれる。
【００１９】
非録画モード時には、再生モードは通常はオンエアモードとなっている。ただし、所定の操作によって、通常再生モード（通常録画のタイムシフト再生モードを含まない）に再生モードを切り替えることが可能である。
【００２０】
常時録画モード時には、再生モードは通常はオンエアモードとなっている。ただし、所定の操作によって、常時録画のタイムシフト再生モードまたは通常再生モード（通常録画のタイムシフト再生モードを含まない）に再生モードを切り替えることが可能である。
【００２１】
通常録画モード時には、再生モードは通常はオンエアモードとなっている。ただし、所定の操作によって、通常再生モード（通常録画のタイムシフト再生モードを含む）に、再生モードを切り替えることが可能である。
【００２２】
この記録再生装置は、常時録画中でかつ常時録画のタイムシフト再生中に、入力信号を切り替えるための操作（この例では、スイッチ４を切り替えるための入力切り替え操作またはチューナ２からの入力信号がスイッチ４によって選択されているときにおけるチャンネル切替操作）が行われた場合に、その操作に応じた入力信号切り替え処理を実行させるとともに、常時録画はそのまま維持させ、再生モードを常時録画のタイムシフト再生モードからオンエアモードに切り替える機能を備えている。
【００２３】
たとえば、４ｃｈの信号が常時録画されているとともに常時録画のタイムシフト再生が行われている場合に、たとえば、チャンネルを６ｃｈに切り替えるための操作が行われたとすると、チャンネルを６ｃｈに変更するための処理が行われるとともに、常時録画がそのまま維持され、再生モードが常時録画のタイムシフト再生モードからオンエアモードに切り替えられる。したがって、６ｃｈの入力信号がオンエアモードでテレビモニタに出力されることになる。
【００２４】
図２は、入力切り替え操作またはチャンネル変更操作が行われたときの処理手順を示している。
【００２５】
入力信号を切り替えるための操作（この例では、スイッチ４を切り替えるための入力切り替え操作またはチューナ２からの入力信号がスイッチ４によって選択されているときにおけるチャンネル切替操作）が行われると（ステップ１）、録画中（常時録画中または通常録画中）であるか否かを判別する（ステップ２）。
【００２６】
録画中でなければ、通常再生中であるか否かを判別する（ステップ３）。通常再生中でなければ、つまり、再生モードがオンエアモードであれば、上記ステップ１で行われた入力信号切替操作に応じた入力信号切替処理（スイッチ４の切替処理またはチャンネル切替処理）を実行する（ステップ４）。したがって、入力信号切替処理後の入力信号がオンエアモードでテレビモニタに出力される。
【００２７】
上記ステップ３において、通常再生中であると判別した場合には、上記ステップ１で行われた入力信号切替操作に応じた入力信号切替処理を行わない（ステップ５）。つまり、上記ステップ１で行われた入力信号切替操作に対して、何ら処理を行わない。
【００２８】
上記ステップ２において、録画中であると判別した場合には、常時録画中であるか否かを判別する（ステップ６）。常時録画中でなければ、つまり通常録画中であれば、上記ステップ１で行われた入力信号切替操作に応じた入力信号切替処理を行わない（ステップ５）。つまり、上記ステップ１で行われた入力信号切替操作に対して、何ら処理を行わない。
【００２９】
上記ステップ６において、常時録画中であると判別した場合には、通常再生中であるか否かを判別する（ステップ７）。通常再生中である場合には、上記ステップ１で行われた入力信号切替操作に応じた入力信号切替処理を行わない（ステップ５）。つまり、上記ステップ１で行われた入力信号切替操作に対して、何ら処理を行わない。
【００３０】
上記ステップ７において、通常再生中でないと判別した場合には、常時録画のタイムシフト再生中であるか否かを判別する（ステップ８）。常時録画のタイムシフト再生中でない場合には、つまり、再生モードがオンエアモードであれば、上記ステップ１で行われた入力信号切替操作に応じた入力信号切替処理（スイッチ４の切替処理またはチャンネル切替処理）を実行する（ステップ４）。したがって、入力信号切替処理後の入力信号がオンエアモードでテレビモニタに出力される。
【００３１】
上記ステップ８において、常時録画のタイムシフト再生中であると判別した場合には、上記ステップ１で行われた入力信号切替操作に応じた入力信号切替処理（スイッチ４の切替処理またはチャンネル切替処理）を実行する（ステップ９）。また、再生モードを常時録画のタイムシフト再生モードからオンエアモードに切り替える（ステップ１０）。したがって、入力信号切替処理後の入力信号がオンエアモードでテレビモニタに出力されることになる。
【００３２】
【発明の効果】
この発明によれば、常時録画中でかつタイムシフト再生中に入力信号を切り替えるための操作が行われた場合に、入力信号切替処理後の入力信号を直ちにオンエアモードで出力できるようになる。
【図面の簡単な説明】
【図１】記録再生装置の概略的な構成を示すブロック図である。
【図２】常時録画中でかつタイムシフト再生中に入力信号を切り替えるための操作が行われたときの処理手順を示すフローチャートである。
【符号の説明】
１  アンテナ
２  チューナ
３  外部入力端子
６  ＭＰＥＧエンコーダ
７  ＨＤＤ
８  ＭＰＥＧデコーダ
４、５、９  スイッチ
１０  ＣＰＵ
１１  操作パネル
１２  テレビモニタ
【図１】
2005033290.tif 000003
【図２】
2005033290.tif 000004